(57)【要約】【課題】シート表面における排泄物の拡散を防止することができる技術をて供する。【解決手段】ペット用シート１０は、吸収体２０、表面シート３０および裏面シート４０により構成されている。吸収体２０は、第１の吸収層２１、第２の吸収層２２、表面側被覆シート２３および裏面側被覆シート２４を有している。第1の吸収層２１は、カチオン系界面活性剤を含む親水性繊維により形成され、第２の吸収層２２は、吸水性樹脂により形成されている。【選択図】図２
2014014304.tif 000002
【特許請求の範囲】
【請求項１】
液透過性の表面シートと、液不透過性の裏面シートと、前記表面シートと前記裏面シートの間に配置され、前記表面シートを透過した排泄物を吸収する吸収体を備え、
前記表面シートは、前記裏面シートが載置箇所に載置されている状態で、ペットの排泄物を受けるように構成されているペット用シートであって、
前記吸収体は、カチオン系界面活性剤を含む親水性繊維により形成される吸収層を有していることを特徴とするペット用シート。
【請求項２】
請求項１に記載のペット用シートであって、
前記カチオン系界面活性剤は、第４級アンモニウム塩であることを特徴とするペット用シート。
【請求項３】
請求項１または２に記載のペット用シートであって、
前記親水性繊維としてパルプを用いていることを特徴とするペット用シート。
【請求項４】
請求項１〜３のうちのいずれか一項に記載のペット用シートであって、
前記吸収層を形成する親水性繊維は、沈降速度が５秒以上であることを特徴とするペット用シート。
【請求項５】
請求項１〜３のいずれか一項に記載のペット用シートであって、
前記吸収層は、カチオン系界面活性剤を含む親水性繊維と吸水性樹脂により形成されていることを特徴とするペット用シート。
【請求項６】
請求項５に記載のペット用シートであって、
前記吸収層は、カチオン系界面活性剤を含む親水性繊維により形成される第１の吸収層と、前記吸水性樹脂により形成される第２の吸収層を有していることを特徴とするペット用シート。
【請求項７】
請求項５に記載のペット用シートであって、
前記第２の吸収層は、前記第１の吸収層より前記表面シート側に配置されていることを特徴とするペット用シート。
【請求項８】
請求項６または７に記載のペット用シートであって、
前記第２の吸収層を形成する吸水性樹脂は、ボルテックス法を用いて測定した液体吸収速度が１８秒以下であることを特徴とするペット用シート。
【請求項９】
請求項１〜８のうちのいずれか一項に記載のペット用シートであって、
少なくとも、前記表面シートと前記吸収層は、全体にわたって熱溶着性接着剤を用いて接合されていることを特徴とするペット用シート。
【発明の詳細な説明】
【技術分野】
【０００１】
本発明は、犬や猫等のペットの排泄物を処理するために使用されるペット用シートに関し、特に、シート表面における排泄物の拡散を抑えることができるペット用シートに関する。
【背景技術】
【０００２】
犬や猫等のペットの排泄物（特に、尿）を処理するためのペット用シートとして、例えば、特許文献１に開示されているペット用シートが知られている。特許文献１に開示されているペット用シートは、液透過性の表面シート、液不透過性の裏面シート、表面シートと裏面シートの間に配置される吸収体により構成されている。吸収体は、パルプ等の親水性繊維と高吸収ポリマー等の吸水性樹脂により形成されている。
【０００３】
ここで、ペットは、濡れた場所での排泄をきらう傾向がある。また、ペットは、ペット用シートのどの位置に排泄するかわからない。
このため、１枚のペット用シートで複数回の排泄を行うことができるようにするためには、ペット用シートに排泄された排泄物がシート表面に拡散するのを抑制する（拡散面積を狭める）ことが必要となる。
そこで、特許文献１に開示されているペット用シートでは、吸水性樹脂より親水性繊維に対して高い親和性を有する疎水化剤（高級脂肪族アルコールまたは高級脂肪アミン）を吸収層に含有させている。
これにより、特許文献１に開示されているペット用シートは、吸水性樹脂の吸収性を維持しながら、親水性繊維に疎水性を付与することができ、排泄物がシート表面に拡散するのを抑制することができる。
【先行技術文献】
【特許文献】
【０００４】
【特許文献１】特開２０１１−２０５９８４
【発明の概要】
【発明が解決しようとする課題】
【０００５】
本発明者らは、吸収層に吸収された排泄物がシート表面に拡散するのを抑制することができる技術について種々検討した結果、特許文献１に開示されている高級脂肪族アルコールあるいは高級脂肪アミン以外の薬剤を用いることによっても吸収層に吸収された排泄物がシート表面側に拡散するのを抑制することができることを見出した。
したがって、本発明は、吸収層に吸収された排泄物がシート表面側に拡散するのを抑制することができる新規な技術を提供することを目的とする。
【課題を解決するための手段】
【０００６】
本発明のペット用シートは、液透過性の表面シート、液不透過性の裏面シート、表面シートと裏面シートの間に配置され、表面シートを透過した排泄物を吸収する吸収体を備えている。なお、本発明のペットシートは、裏面シートが床面等の載置箇所に載置された状態で、表面シートがペットの排泄物を受けるように構成されている。
本発明では、吸収体は、カチオン（陽イオン）系界面活性剤を含む親水性繊維により形成される吸収層を有している。親水性繊維としては、例えば、パルプ、レーヨン等が用いられる。カチオン系界面活性剤としては、例えば、アミン塩、第４級アンモニウム塩、ベンザルコニウム塩、塩化ベンゼトニウムン塩、ピリジニウム塩、イミダゾリウム塩、ポリアミド誘導体等を用いることができる。親水性繊維は、カチオン系界面活性剤によって疎水性が付与される。カチオン系界面活性剤は親水性繊維と化学的に結合するため、排泄物によって、カチオン系界面活性剤が親水性繊維から剥がれるのを防止することができる。なお、好適には、吸水性樹脂を含む吸収層が用いられる。
本発明では、親水性繊維に疎水性を付与するカチオン系界面活性剤が排泄物によって親水性繊維から剥がれることがないため、親水性繊維が所望の疎水性を有している状態を長い時間維持することができる。また、吸収層で吸収された排泄物が吸収層内で拡がる（拡散する）のが抑制され、結果として、排泄物がシート表面で拡散するのが抑制される。
【０００７】
本発明の他の形態では、親水性繊維に疎水性を付与するカチオン系界面活性剤として、第４級アンモニウム塩が用いられている。第４級アンモニウム塩を用いることにより、ペット用シートに抗菌性を持たせることができる。
【０００８】
本発明のさらに他の形態では、親水性繊維として、パルプが用いられている。
【０００９】
本発明のさらに他の形態では、吸収層を形成する親水性繊維は、沈降速度が５秒以上に設定されている。
「沈降速度」は、カチオン系界面活性剤を含む親水性繊維５ｇを用いて円筒体を形成し、深さ４００ｍｍの容器に水を入れた状態で、円筒体を横にして水面上１０ｍｍの高さから落とし、円筒体が水面に接してから水面下に沈むまでの時間で表される。
吸収層の沈降速度が５秒以上に設定されていることにより、吸収層内での排泄物の拡散に起因するシート表面での排泄物の拡散をより抑制することができる。
【００１０】
本発明のさらに他の形態では、吸収層は、カチオン系界面活性剤を含む親水性繊維と吸水性樹脂により形成されている。
【００１１】
本発明のさらに他の形態では、吸収層は、カチオン系界面活性剤を含む親水性繊維により形成される第１の吸収層と、吸水性繊維により形成される第２の吸収層を有している。
【００１２】
本発明のさらに他の形態では、第２の吸収層は、第１の吸収層より表面シート側に配置されている。
【００１３】
吸収層が、カチオン系界面活性剤を含む親水性繊維により形成される第１の吸収層と、吸水性樹脂により形成される第２の吸収層を有する場合、第２の吸収層は、液体吸収速度が速い方が好ましい。
本発明のさらに他の形態では、第２の吸収層は、ボルテックス法を用いて測定した液体吸収速度が１８秒以下に設定されている。
第２の吸収層は、所望の液体吸収速度を有する吸水性樹脂により形成することもできるし、第２の吸収層全体の液体吸収速度が所望の液体吸収速度となるように、液体吸収速度が異なる複数の吸水性樹脂を組み合わせて形成することもできる。
本形態では、第１の吸収層内での排泄物の拡散に起因するシート表面での排泄物の拡散をより抑制することができる。
【発明の効果】
【００１４】
本発明では、吸収層で吸収された排泄物が吸収層内で拡がる（拡散する）のを抑制することができ、結果として、排泄物がシート表面で拡散するのを抑制することができる。
【図面の簡単な説明】
【００１５】
【図１】本発明のペット用シートの一実施の形態の斜視図である。
【図２】図１のＩＩ−ＩＩ線断面図である。
【図３】一実施の形態のペット用シートの作用を説明する図である。
【図４】本発明のペット用シートの他の実施の形態の断面図である。
【図５】従来のペット用シートの作用を説明する図である。
【発明を実施するための形態】
【００１６】
以下に、本発明の実施の形態を、図面を参照して説明する。
なお、以下の詳細な説明は、本発明の好ましい適用例を実施するための詳細情報を当業者に教示するに留まり、本発明の技術的範囲は、当該詳細な説明によって制限されず、特許請求の範囲の記載に基づいて定められる。このため、以下の詳細な説明における各構成あるいは各方法は、広義の意味において、本発明を実施するのに全て必須であるというものではなく、本発明の代表的形態を開示するに留まるものである。
【００１７】
本発明の一実施の形態のペット用シート１０が、図１および図２に示されている。なお、図１は、本実施の形態のペット用シート１０の斜視図であり、図２は、図１のＩＩ−ＩＩ線断面図である。
【００１８】
ペット用シート１０は、図１に示されているように、長手方向ＬＤに沿った長辺と、幅方向ＷＤに沿った短辺を有する長方形に形成されている。勿論、ペット用シート１０は、長方形以外の種々の形状に形成することができる。
【００１９】
ペット用シート１０は、吸収体２０、表面シート３０および裏面シート４０により構成されている。吸収体２０は、表面シート３０と裏面シート４０の間に配置され、表面シート３０と裏面シート４０によって覆われている。なお、ペット用シート１０は、表面シート３０が排泄物を受けるように、裏面シート４０が載置箇所（例えば、床面６０）に載置される。すなわち、裏面シート４０、吸収体２０および表面シート３０が上下方向に積層されている。
【００２０】
表面シート３０は、排泄物に含まれている液体（尿等）を透過させる液透過性を有している。表面シート３０は、液透過性を有していればよく、例えば、サーマルボンド不織布、ポイントボンド不織布、エアスルー不織布、スパンレース不織布、スパンボンド不織布等の不織布により構成することができる。
【００２１】
裏面シート４０は、排泄物に含まれている液体の透過を阻止ないし抑制する液不透過性あるいは撥水性を有している。裏面シート４０は、液不透過性を有していればよく、例えば、ポリエチレン、ポリプロピレン、ポリエチレンテレフタレート等により形成された樹脂フィルムにより構成することができる。例えば、目付が１７［ｇ／ｍ２］のポリエチレン製フィルムを用いて構成することができる。また不織布に撥水剤が塗布されたものを裏面シート４０として用いることもできる。なお、［ｇ／ｍ２］は、目付を示す単位であり、１平方メートルあたりの重量（グラム）を示す。
表面シート３０と裏面シート４０は、吸収体２０を覆うことができる形状に形成されており、吸収体２０を覆った状態で周縁部分が接合されている。
【００２２】
吸収体２０は、吸収層、表面側被覆シート２３および裏面側被覆シート２４を有している。
吸収層は、親水性繊維により形成されている第１の吸収層（「吸収体コア層」ともいう）２１と、吸水性樹脂により形成されている第２の吸収層（「分散層」ともいう）２２を有している。第２の吸収層２２は、第１の吸収層２１より表面シート３０側（上側）に配置されている。
第1の吸収層２１は、典型的には、親水性繊維を目付が６０ｇ／ｍ２となるように積層して構成される。親水性繊維としては、例えば、フラッフパルプが用いられる。
第２の吸収層２２は、典型的には、吸水性樹脂を目付が４０［ｇ／ｍ２］となるように第１の吸収層２１の上面（表面シート３０側の表面）に散布して構成される。吸水性樹脂としては、例えば、高吸収性ポリマー（「ＳＡＰ」ともいう）が用いられる。なお、親水性繊維により形成されている第１の吸収層２１の上面に吸水性樹脂を均一に散布する場合、吸水性樹脂が親水性繊維の間に入り込み、第１の吸収層２１と第２の吸収層２２が完全に分離した状態とならないことがある。
【００２３】
吸収層は、表面側被覆シート２３と裏面側被覆シート２４の間に配置され、表面側被覆シート２３と裏面側被覆シート２４により覆われている。なお、表面側被覆シート２３は、吸収層より表面シート３０側（上側）に配置され、裏面側被覆シート２４は、吸収層より裏面シート４０側（下側）に配置されている。
表面側被覆シート２３および裏面側被覆シート２４は、典型的には、針葉樹パルプからなるティッシュ（例えば、目付が１２〜２５［ｇ／ｍ２］のティッシュ）によって構成される。
本実施の形態では、表面側被覆シート２３と裏面側被覆シート２４によって吸収層を包み込むために、表面側被覆シート２３の両端部２３ａおよび２３ｂが、裏面側被覆シート２４の両端部の下方側（裏面シート４０側）に折り重ねられている。
【００２４】
ここで、第１の吸収層２１をパルプにより形成した場合、例えば、フラッフパルプを目付が６０［ｇ／ｍ２］となるように均一に積層して第１の吸収層２１を構成した場合の動作を、図５を参照して説明する。
【００２５】
（１）ペット用シート上でペットが排泄を行うと、表面シートおよび表面側被覆シート３２３を透過した排泄物（尿）Ｘは、先ず、第２の吸収層３２２において、吸収速度が速い吸水性樹脂に吸収される。
【００２６】
（２）第２の吸収層３２２の吸水性樹脂で吸収することができなかった排泄物は、第１の吸収層３２１に移行する。第１の吸収層３２１を形成しているパルプは排泄物をはじかないため、第１の吸収層３２１に移行した排泄物Ｘは、第１の吸収層３２１内において下方および外側に広がる。排泄物Ｘが第１の吸収層３２１内において外側に広がると、表面シート側に戻る。結果的に、排泄物Ｘがシート表面において拡散する。
【００２７】
前述したように、ペットは、濡れた場所での排泄を嫌うため、排泄物がシート表面において拡散すると、１枚のシートで排泄する回数が減少する。また、排泄物がシート表面で拡散すると、シートの端部から漏れるおそれがある。また、シート表面に排泄物が拡散している状態でペットがシートを踏むと、ペットの足が濡れ、足が濡れた状態でペットが家中を走りまわることによって、家中が汚れるおそれがある。
【００２８】
特許文献１に開示されているペットシートでは、吸水性樹脂より親水性繊維に対して高い親和性を有する、高級脂肪族アルコールや高級脂肪アミン等の疎水化剤を吸収層に含有させることによって、吸収層で吸収された排泄物が吸収層内で拡散するのを抑制している。
【００２９】
本実施の形態では、親水性繊維に疎水性を付与する界面活性剤、特に、カチオン（陽イオン）系界面活性剤を含む親水性繊維により第２の吸収層２２を形成している。
カチオン系界面活性剤は、親水性繊維と化学的に結合するため、排泄物によってカチオン系界面活性剤が親水性繊維から剥がれることがない。これにより、親水性繊維が所望の疎水性を有している状態を長い時間維持することができる。
【００３０】
カチオン系界面活性剤としては、アミン塩、第４級アンモニウム塩、ベンザルコニウム塩、塩化ベンゼトニウムン塩、ピリジニウム塩、イミダゾリウム塩、ポリアミド誘導体等を用いることができる。特に、第４級アンモニウム塩を用いると、第４級アンモニウム塩が有している抗菌性により、ペット用シートに抗菌性を付与することができる。
親水性繊維としては、広葉樹及び針葉樹からの木材パルプや草植物のパルプ等を用いることができる。この中でも、繊維長が長いフラッフパルプを用いるのが好ましい。
【００３１】
本実施の形態では、第１の吸収層２１は、目付が６０［ｇ／ｍ２］となるようにフラッフパルプが均一に積層され、カチオン系界面活性剤を含んでいるトリートパルプにより構成されている。
また、トリートパルプ（第１の吸収層２１）の沈降速度が５秒以上に設定されている。
沈降速度は、以下のようにして測定する。
（１）トリートパルプ５ｇを円筒状に均一に詰めて円筒体を形成する。
（２）ビーカー等の容器に、水深約２００ｍｍとなるように水を注入する。
（３）円筒体を横にして、水面上１０ｍの高さから静かに落とす。
（４）円筒体が水面に接してから水面下に沈むまでの時間を測定し、沈降速度とする。
好適には、第１の吸収層２１の沈降速度は、５秒以上に設定される。第１の吸収層２１の沈降速度を５秒以上に設定することにより、第１の吸水層内での排泄物の拡散に起因するシート表面での排泄物の拡散を効果的に抑制することができる。
【００３２】
このようなトリートパルプとしては、商品名ＦＵＬＬＹ  ＴＲＥＡＴＥＤ  ＰＵＬＰ  ４７２２  ＧＩ（ＧＥＯＲＧＩＡ  ＰＡＣＩＦＩＣ社）があげられる。
なお、本実施の形態では、吸水性樹脂を目付が４０［ｇ／ｍ２］となるように第１の吸収層２１の上面に均一に散布することによって第２の吸収層２２を形成している。
【００３３】
本実施の形態のペット用シートの動作を、図３を参照して説明する。
（１）ペット用シート１０上でペットが排泄を行うと、表面シート３０および表面側被覆シート２３を透過した排泄物（尿）Ｘは、先ず、第２の吸収層２２において、吸収速度が速い吸水性樹脂に吸収される。
（２）第２の吸収層２２の吸水性樹脂で吸収することができなかった排泄物Ｘは、第１の吸収層２１に移行する。ここで、本実施の形態では、第１の吸収層２１を形成する親水性繊維は、カチオン系界面活性剤によって疎水性が付与されている。このため、第１の吸収層２１に移行した排泄物Ｘは、疎水性が付与された親水性繊維によってはじかれ、第１の吸収層２１内における下部・外側への拡がり（拡散）が抑制される。
（３）第１の吸収層２１内において排泄物Ｘが下部・外側への拡がり（拡散）が抑制されている状態で、第２の吸収層２２を形成している吸水性樹脂が排泄物Ｘを徐々に吸収する。これにより、排泄物Ｘがシート表面側に拡散するのを抑制することができる。
【００３４】
ここで、第１の吸収層２１に移行した排泄物Ｘが、疎水性が付与親水性繊維によってはじかれ、第１の吸収層２１内における下部・外側への拡がりが抑制されると、排泄物Ｘが一箇所に溜まることになる。体に装着して使用する吸収シートにおいて排泄物が一箇所に溜まると、溜まった排泄物Ｘが使用者の身体に触れ続けることになり、肌のかぶれやかゆみの原因となる。このため、このような手法は、体に装着して使用する吸収シートには用いられていなかった。
【００３５】
一方、ペット用シートは、体に装着するものではなく、また、水平に載置して使用される（傾いた状態で使用されることは殆どない）。さらに、特に重要なことは、ペットは、同じところに排泄をしない傾向があり、また、濡れたところでは排泄をしない傾向にある。
このため、１枚のシートでの排泄回数を増大させるためには、排泄物の漏れを防止することよりも、シート表面での排泄物の拡散を防止する方が有効である。
【００３６】
なお、接合方法としてエンボス加工を施す方法を用いると、接合領域に凹凸部が形成され、この凹凸部によって、接合領域に繊維密度が高い部分（高密度の部分）と繊維密度が低い部分（低密度の部分）が形成される。この場合、毛細管現象により、排泄物が高密度の部分に沿って拡がる（拡散する）。
吸収層（第２の吸収層２１）と表面側被覆シート２３が接合されている接合領域、また、表面側被覆シート２３と表面シート３０が接合されている接合領域に沿って排泄物が拡散すると、排泄物がシート表面で拡散することになる。
【００３７】
そこで、本実施の形態では、表面シート３０と表面側被覆シート２３、表面側被覆シート２３と吸収層（第２の吸収層２２）が（すなわち、表面シート３０および吸収層が表面側被覆シート２３に）、全体にわたって、熱溶着性接着剤（ホットメルト接着剤）を用いて接合されている。ホットメルト接着剤は、加熱溶融することにより液状化し、冷却固化によって接合状態を形成する接着剤である。ホットメルト接着剤としては、公知のものを用いることができる。
なお、本実施の形態では、吸収層（第１の吸収層２１）と裏面側被覆シート２４、裏面側被覆シート２４と裏面シート４０も、全体にわたって、ホットメルト接着剤を用いて接合されている。
【００３８】
「全体にわたって接合されている」という記載は、表面シート３０と表面側被覆シート２３（表面側被覆シート２３と吸収層）の面のうち、積層方向（上下方向）に沿って対向して配置される面が全体にわたって接合されている構成を表している。「全体にわたって接合されている」構成には、積層方向（上下方向）に対向して配置され面のうちの少なくとも一方の面全体（全面）に、接着剤をまんべんなく塗布する態様や、少なくとも一方の面全体に、接着剤をスパイラル状、格子状、ストライプ状、散点状等の非連続パターンで塗布する態様が包含される。
【００３９】
図２に示されている接合部５０（５１、５２、５３、５４）は、それぞれ、表面シート３０と表面側被覆シート２３、表面側被覆シート２３と吸収層（第２の吸収層２２）、吸収層（第１の吸収層２１）と裏面側被覆シート２４、裏面側被覆シート２４と裏面シート４０がホットメルト接着剤によって接合されている部分である。
熱溶着接着剤を用いて、全体にわたって接合することにより、吸収体を表面シート３０と裏面シート４０の間に強固に固定することができ、吸収体の型崩れを防止することができる。
【００４０】
以上では、親水性繊維により形成される第１の吸収層２１の上面に吸水性樹脂を散布したが、吸水性樹脂を第１の吸収層の内部に設けることもできる。
本発明の他の実施の形態のペット用シート１１０の断面図を図４に示す。
本実施の形態のペット用シート１１０は、吸収体１２０の吸収層の構成が異なるだけで、他の構成はペット用シート１０と同じである。したがって、吸収体１２０の構成についてのみ説明する。
【００４１】
吸収体１２０は、吸収層１２１、表面側被覆シート１２３および裏面側被覆シート１２４を有している。
吸収層１２１は、親水性繊維により形成されているとともに、吸水性樹脂により形成される第２の吸収層１２２が第１の吸収層１２１内に設けられている。吸収層１２１を形成する親水性繊維としては、前述した第１の吸収層２１を形成する親水性繊維と同じものを用いることができる。また、第２の吸収層１２２を形成する吸水性樹脂としては、前述した第２の吸収層２２を形成する吸水性樹脂と同じものを用いることができる。
本実施の形態のペット用シート１１０は、前述したペット用シート１０と同様の効果を有している。
【００４２】
次に、カチオン系界面活性剤を含む親水性繊維の使用および吸水性樹脂の液体吸収速度とシート表面での排泄物の拡散抑制効果について検討した。シート表面での排泄物の拡散抑制効果は、液体拡散面積により判断した。
【００４３】
液体吸収速度は、以下の方法（Ｖｏｒｔｅｘ法）で測定する。
（１）０．９％塩化ナトリウム水溶液を液温２５℃に調整する。
（２）１００ｍｌビーカーに回転子を入れる。
（３）１００ｍｌビーカーに５０ｇの試験液を注入するとともに、スターラーバー（攪拌子）を入れる。
（４）１００ｍｌビーカーをマグネットスターラー（磁気攪拌器）の上に置き、回転子を６００ｒｐｍで回転させる。
（５）吸水性樹脂（ＳＡＰ）を２ｇ投入し、液表面がフラットになる時間を測定する。
【００４４】
液体拡散面積は、以下の方法で算出する。
（１）対象シートの測定箇所（折り目の部分は避ける）に塩ビ管（外径６６．６ｍｍ、内径６０．２ｍｍ、高さ５３ｍｍ）を配置する。
（２）ビュレット（４０ｃｃ／６秒）を用いて、１０ｍｍ上方から塩ビ管中央に、０．９％生理食塩水４０ｃｃを６秒で滴下する。
（３）滴下してから５分経過した時点で、生理食塩水のＭＤ方向（Ｍａｃｈｉｎｅ  Ｄｉｒｅｃｔｉｏｎ）の拡散長およびＣＤ方向（Ｃｒｏｓｓ  Ｄｉｒｅｃｔｉｏｎ）の拡散長を測定する。
（４）測定したＭＤ方向拡散長およびＣＤ方向拡散長と以下の計算式を用いて液体拡散面積（ｃｍ２）を算出する。
［（ＭＤ方向拡散長／２）×（ＣＤ方向拡散長／２）×３．１４］
【００４５】
第１の吸収層と、第１の吸収層の上面に配置されている第２の吸収層を有するシートとして、以下のシート１〜８を用いた。
なお、シート１〜４は、目付が６０［ｇ／ｍ２］となるようにフラッフパルプが均一に積層され、カチオン系界面活性剤を含んでいるパルプ（トリートパルプ）を第１の吸収層として用いている。
また、シート５〜８は、目付が６０［ｇ／ｍ２］となるようにフラッフパルプが均一に積層されているパルプ（ノントリートパルプ）を第１の吸収層として用いている。
【００４６】
［シート１］
（第１の吸収層）：目付が６０［ｇ／ｍ２］となるようにフラッフパルプが均一に積層
されているとともにカチオン系界面活性剤を含んでおり、沈降速
度が５秒であるトリートパルプ
（第２の吸収層）：目付が４０［ｇ／ｍ２］であり、液体吸収速度が４秒である吸水性
樹脂（ＳＡＰ）
［シート２］
（第１の吸収層）：目付が６０［ｇ／ｍ２］となるようにフラッフパルプが均一に積層
されているとともにカチオン系界面活性剤を含んでおり、沈降速
度が５秒であるトリートパルプ
（第２の吸収層）：目付が４０［ｇ／ｍ２］であり、液体吸収速度が１０秒である吸
水性樹脂（ＳＡＰ）
［シート３］
（第１の吸収層）：［シート１］と同じトリートパルプ
（第２の吸収層）：目付が４０［ｇ／ｍ２］であり、液体吸収速度が１８秒である
吸水性樹脂（ＳＡＰ）
［シート４］
（第１の吸収層）：［シート１］と同じトリートパルプ
（第２の吸収層）：目付が４０［ｇ／ｍ２］であり、液体吸収速度が３５秒である
吸水性樹脂（ＳＡＰ）
【００４７】
［シート５］
（第１の吸収層）：目付が６０［ｇ／ｍ２］となるようにフラッフパルプが均一に積層
されており、沈降速度が１秒であるノントリートパルプ
（第２の吸収層）：目付が４０［ｇ／ｍ２］であり、液体吸収速度が４秒である吸
水性樹脂（ＳＡＰ）
［シート６］
（第１の吸収層）：［シート４］と同じノントリートパルプ
（第２の吸収層）：目付が４０［ｇ／ｍ２］であり、液体吸収速度が１０秒である吸
水性樹脂（ＳＡＰ）
［シート７］
（第１の吸収層）：［シート４］と同じノントリートパルプ
（第２の吸収層）：目付が４０［ｇ／ｍ２］であり、液体吸収速度が１８秒である
吸水性樹脂（ＳＡＰ）
［シート８］
（第１の吸収層）：［シート４］と同じノントリートパルプ
（第２の吸収層）：目付が４０［ｇ／ｍ２］であり、液体吸収速度が３５秒である
吸水性樹脂（ＳＡＰ）
【００４８】
シート１〜８について、前述した方法で液体拡散面積を測定した。結果は以下の通りであった。
［シート１（トリートパルプ＋液体吸収速度４秒）］      ：１９２ｃｍ２
［シート２（トリートパルプ＋液体吸収速度１０秒）］    ：２４５ｃｍ２
［シート３（トリートパルプ＋液体吸収速度１８秒）］    ：２６４ｃｍ２
［シート４（トリートパルプ＋液体吸収速度３５秒）］    ：２８１ｃｍ２
［シート５（ノントリートパルプ＋液体吸収速度４秒）］  ：２０７ｃｍ２
［シート６（ノントリートパルプ＋液体吸収速度１０秒）］：２７０ｃｍ２
［シート７（ノントリートパルプ＋液体吸収速度１８秒）］：３２０ｃｍ２
［シート８（ノントリートパルプ＋液体吸収速度３５秒）］：３４１ｃｍ２
【００４９】
この結果から、以下の点が理解できる。
同じ液体吸収速度を有する吸水性樹脂を使用しているシートを比較すると、トリートパルプを使用しているシートの方が、液体拡散面積（シート表面での排泄物の拡散面積）が小さい。
例えば、液体吸収速度が１８秒である吸水性樹脂を使用している［シート３］と［シート７］を比較すると、［シート３］では、液体拡散面積が２６４ｃｍ２であるのに対し、［シート７］では、液体拡散面積が３２０ｃｍ２である。
このことは、第１の吸収層をトリートパルプにより形成することにより、第１の吸収層をノントリートパルプにより形成する場合に比べて、液体吸収速度が遅い吸水性樹脂を使用することができることを示している。吸水性樹脂は、液体吸収速度が速いほど高価である。また、吸水性樹脂は、液体吸収速度が遅い方が、強度が高く、リウェット（吸水性樹脂で吸収した排泄物がシート表面側に戻る作用）が少ない。
以上のことから、第１の吸収層をトリートパルプにより形成し、第２の吸収層を吸水性樹脂により形成することにより、吸収層で吸収された排泄物がシート表面側に戻ることに起因するシート表面での排泄物の拡散を効果的に抑制することができることが理解できる。
【００５０】
また、吸収層で吸収された排泄物がシート表面側に戻ることに起因するシート表面での排泄物の拡散性を表す、液体拡散面積（シート表面での排泄物の拡散面積）の観点から判断すると、［シート１］〜［シート３］を用いることによって、吸収層で吸収された排泄物がシート表面側に戻ることに起因するシート表面での排泄物の拡散を抑制することができる。
すなわち、第１の吸収層をトリートパルプにより形成し、第２の吸収層を吸水性樹脂により形成する場合、液体吸収速度が１８秒以下である吸水性樹脂を用いることによって、吸収層で吸収された排泄物がシート表面側に戻ることに起因するシート表面での排泄物の拡散を抑制することができる。
【００５１】
なお、第２の吸収層は、所望の液体吸収速度を有する吸水性樹脂により構成することもできるし、第２の吸収層全体の液体吸収速度が所望の液体吸収速度となるように、液体吸収速度が異なる複数の吸水性樹脂を組み合わせて構成することもできる。
【００５２】
本発明は、実施の形態で説明した構成に限定されず種々の変更、追加、削除が可能である。
実施の形態では、吸収層を、カチオン系界面活性剤を含む親水性繊維により形成される第１の吸収層と吸水性樹脂（ＳＡＰ）により形成される第２の吸収層により構成したが、第１の吸収層のみで構成することもできる。
親水性繊維に疎水性を付与するカチオン系界面活性剤としては、種々のものを用いることができる。
親水性繊維としては、パルプ以外の種々の繊維を用いることができる。
第２の吸収層の第１の吸収層に対する配置位置や第２の吸収層の数は、適宜選択することができる。例えば、第１の吸収層の上部と下部に配置する態様、第１の吸収層の上部と内部に配置する態様等を選択することができる。
接合方法としては、熱溶着性接着剤（ホットメルト接着剤）を用いた接合方法以外の方法を用いることもできる。
【符号の説明】
【００５３】
１０、１１０  ペット用シート
２０、１２０  吸収体
２１、１２１、３２１  第１の吸収層
２２、１２２、３２２  第２の吸収層
２３、１２３、３２３  表面側被覆シート
２４、１２４、３２４  裏面側被覆シート
３０、１３０  表面シート
４０、１４０  裏面シート
５０、５１、５２、５３、５４、１５０、１５１、１５２、１５３、１５３  接合部
６０  載置面
【図１】
2014014304.tif 000003
【図２】
2014014304.tif 000004
【図３】
2014014304.tif 000005
【図４】
2014014304.tif 000006
【図５】
2014014304.tif 000007